(57)【要約】【課題】容易に組立が可能で、かつ回転軸とロータケースとを安定的に結合させることができる洗濯機用アウターロータ型モータのロータを提供する。【解決手段】本発明は洗濯機用アウターロータ型モータのロータに関し、本発明によるアウターロータ型モータのロータはベースプレートを有するロータケースと、ベースプレートの中央部に形成された挿入孔と、回転軸とロータケースとを連結するための挿入孔にインサートモールディングによって固定的に挿入されるシャフトブッシングと、ベースプレートの強度を強化するためにベースプレートに固定的に設けられる複数の突出リブとを備え、突出リブはシャフトブッシングに放射状に連結されることを特徴とする。そのため、本発明によるロータは製作が容易であり、ロータケースと回転軸との結合が堅固である。【選択図】図３
2008516581.tif 000002
【特許請求の範囲】
【請求項１】
アウターロータ型モータのロータであって、
ベースプレートを有するロータケースと、
前記ベースプレートの中央部に形成された挿入孔と、
回転軸と前記ロータケースとを結合するための、前記挿入孔にインサートモールディングによって固定的に挿入されるシャフトブッシングと、
前記ベースプレートの強度を強化するための、前記ベースプレートに固定的に設けられる複数の突出リブとを備え、
前記突出リブは前記シャフトブッシングに放射状に結合されることを特徴とするアウターロータ型モータのロータ。
【請求項２】
前記ロータケースは、前記ベースプレートに形成された複数のリブ孔を更に備え、前記突出リブは、前記リブ孔を介してインサートモールディングされ、前記ベースプレートの下面で前記シャフトブッシングと結合されることを特徴とする請求項１に記載のアウターロータ型モータのロータ。
【請求項３】
前記ロータケースは、前記ベースプレートに形成された複数の挿入溝を更に備え、前記突出リブは、前記挿入溝を介して挿入されることを特徴とする請求項１に記載のアウターロータ型モータのロータ。
【請求項４】
前記ベースプレートは、前記各挿入溝の両辺の横に形成された複数の補強リブを有し、前記補強リブは、前記ロータケースの内側に向かって突出していることを特徴とする請求項３に記載のアウターロータ型モータのロータ。
【請求項５】
前記ロータケースは、前記挿入孔から放射状に延在するように、前記ベースプレートに形成された複数の挿入開口を更に備え、前記突出リブは、前記挿入開口に挿入されることを特徴とする請求項１に記載のアウターロータ型モータのロータ。
【請求項６】
前記ベースプレートは、前記各挿入開口の両辺の横に形成された複数の補強リブを有し、前記補強リブは、前記ロータケースの内側に向かって突出していることを特徴とする請求項５に記載のアウターロータ型モータのロータ。
【請求項７】
前記ロータケースは、前記ベースプレートに形成された複数の連結孔を更に備え、前記突出リブは前記連結孔を介してインサートモールディングされ、前記突出リブの下部は前記ベースプレートの下面に形成され、前記突出リブの上部は前記ベースプレートの上面に形成され、前記突出リブの前記下部及び前記上部は前記連結孔を介して結合されることを特徴とする請求項１に記載のアウターロータ型モータのロータ。
【請求項８】
前記ベースプレートは、前記挿入孔の周囲に形成された複数のシャフトブッシング連結孔を有し、前記シャフトブッシングは前記シャフトブッシング連結孔を介してインサートモールディングされ、前記シャフトブッシングの下部は前記ベースプレートの下面に形成され、前記シャフトブッシングの上部は前記ベースプレートの上面に形成され、前記シャフトブッシングの前記下部及び前記上部は前記シャフトブッシング連結孔を介して結合されることを特徴とする請求項７に記載のアウターロータ型モータ。
【請求項９】
前記ロータケースは、前記ベースプレートの外周部から上方に延在し、その内側に永久磁石が取り付けられるヨーク部を更に備え、前記ヨーク部はその下部に傾斜部を有し、前記傾斜部から前記ヨーク部の上端迄の高さが前記ヨーク部の内側に取り付けられる前記永久磁石の高さよりも低いことを特徴とする請求項１に記載のアウターロータ型モータ。
【請求項１０】
前記ロータケースは、前記ベースプレートの外周部から上方に延在し、その内側に永久磁石が取り付けられるヨーク部を更に備え、前記ヨーク部はその上端部に前記ロータケースの外側に曲げられている屈曲部を更に含むことを特徴とする請求項１に記載のアウターロータ型モータ。
【請求項１１】
アウターロータ型モータのロータであって、
ベースプレート及び前記ベースプレートの外周部から上方に延在し、その内側に永久磁石が取り付けられるヨーク部を備えるロータケースと、
前記ベースプレートの中央部に形成された挿入孔と、
回転軸と前記ロータケースとを結合するための、前記挿入孔に固定的に挿入されるシャフトブッシングとを備え、
前記ヨーク部はその下部に傾斜部を有し、前記傾斜部から前記ヨーク部の上端迄の高さが前記ヨーク部の内側に取り付けられる前記永久磁石の高さよりも低いことを特徴とするアウターロータ型モータ。
【請求項１２】
アウターロータ型モータのロータであって、
ベースプレート及び前記ベースプレートの外周部から上方に延在し、その内側に永久磁石が取り付けられるヨーク部を備えるロータケースと、
前記ベースプレートの中央部に形成された挿入孔と、
回転軸と前記ロータケースとを結合するための、前記挿入孔に固定的に挿入されるシャフトブッシングとを備え、
前記ヨーク部はその上端部に前記ロータケースの外側に曲げられている屈曲部を更に含むことを特徴とするアウターロータ型モータ。
【発明の詳細な説明】
【技術分野】
【０００１】
本発明は、洗濯機用モータのロータに関し、より詳しくは、容易に組み立てることができ、回転軸とロータケースとを安定的に結合させることができる洗濯機用アウターロータ型モータのロータに関する。
【背景技術】
【０００２】
誘導起電力を用いる誘導モータは、ステータから発生する回転磁界とロータから発生する誘導磁界との相互作用により回転力を発生する交流モータの一種であって、回転磁界型に属する。
【０００３】
家電製品に最も広く用いられる交流モータの１つである誘導モータの種類としては、単相または３相誘導モータ、３相巻線型誘導モータなどが挙げられる。
【０００４】
前記誘導モータは、基本としてステータ及びロータを備え、ステータ及びロータの相対的な位置に応じてインナーロータ型とアウターロータ型とに区分される。
【０００５】
近年は、同一体積でトルクを増加させることができ、ステータの内部空間を他の用途に活用できるアウターロータ型誘導モータが広く使用されている。アウターロータ型誘導モータは、回転軸、永久磁石、ロータケース等から構成されるロータと、コア、ベース、ベアリング等から構成されるステータとを備える。
【０００６】
図１は従来のアウターロータ型モータのロータの分解斜視図、図２は従来のロータと回転軸との結合状態を示す断面図である。
【０００７】
図１に示すように、ロータは、プレス加工されてモータのハウジングを形成する金属材質のロータケース１と、ロータケース１の内周面に打抜き加工（ｂｌａｎｋｉｎｇ  ｐｒｏｃｅｓｓ）されて強制圧入される積層鉄心２ａ及び積層鉄心２ａの上面及び下面に夫々備えられるリング状のエンド部材２ｂからなるコア２と、ロータケース１及び回転軸４（図２参照）を結合させるためのシャフトブッシング３からなる。
【０００８】
図２に示すように、回転軸４は、シャフトブッシング３に挿入され、回転軸４の下端部に締結されるボルト６によりシャフトブッシング３と締結される。シャフトブッシング３の貫通孔の内面にはセレーションが形成され、この貫通孔に挿入される回転軸４の端部にも、対応するセレーションが形成される。シャフトブッシング３は、その周辺部の下面に形成された固定突起部７及び／又は別途のボルト８によってロータケース１の中央部に固定的に結合される。
【０００９】
しかしながら、前記のような従来のアウターロータ型誘導モータのロータは、積層鉄心２ａ及びエンド部材２ｂからなるコア２がロータケース１に強制圧入されるため、組立工程が煩雑であるという問題や、シャフトブッシング３及びロータケース１が別途のボルト８により結合されるため、その結合が不安定であり、それによりロータの安定性が低下してしまうという問題があった。
【発明の開示】
【課題を解決するための手段】
【００１０】
そこで、本発明はこのような従来の問題点を解決するためになされたもので、その目的は、容易に組立が可能で、かつ回転軸とロータケースとを安定的に結合させることができる洗濯機用アウターロータ型モータのロータを提供することにある。
【００１１】
前記のような目的を達成するために、本発明の一実施例は、アウターロータ型モータのロータであって、ベースプレートを有するロータケースと、ベースプレートの中央部に形成された挿入孔と、回転軸とロータケースとを結合するために挿入孔にインサートモールディングによって固定的に挿入されるシャフトブッシングと、ベースプレートの強度を強化するためにベースプレートに固定的に設けられる複数の突出リブとを備え、突出リブはシャフトブッシングに放射状に結合されることを特徴とするアウターロータ型モータのロータを提供する。
【００１２】
前記のような目的を達成するために、本発明の他の実施例は、アウターロータ型モータのロータであって、ベースプレート及びこのベースプレートの外周部から上方に延在し、その内側に永久磁石が取り付けられるヨーク部を備えるロータケースと、ベースプレートの中央部に形成された挿入孔と、回転軸とロータケースとを結合するために挿入孔に固定的に挿入されるシャフトブッシングとを備え、ヨーク部はその下部に傾斜部を有し、この傾斜部からヨーク部の上端迄の高さがヨーク部の内側に取り付けられる永久磁石の高さよりも低いことを特徴とするアウターロータ型モータを提供する。
【００１３】
前記のような目的を達成するために、本発明の更に他の実施例は、アウターロータ型モータのロータであって、ベースプレート及びこのベースプレートの外周部から上方に延在し、その内側に永久磁石が取り付けられるヨーク部を備えるロータケースと、ベースプレートの中央部に形成された挿入孔と、回転軸とロータケースとを結合するために挿入孔に固定的に挿入されるシャフトブッシングとを備え、ヨーク部はその上端部にロータケースの外側に曲げられている屈曲部を更に含むことを特徴とするアウターロータ型モータを提供する。
【発明を実施するための最良の形態】
【００１４】
以下、本発明の好適な実施例について図面を参照して説明し、同一部材には同一な参照符号を付す。
【００１５】
図３は、本発明の好適な第１実施例によるアウターロータ型モータのロータの部分切り欠き斜視図を示す。
【００１６】
図示のように、本発明の好適な第１実施例によるロータ１００は、金属で作られ、底面を有する円筒状に形成されるロータケース１１と、回転軸（５０、図４参照）とロータケース１１とを結合するためのシャフトブッシング３０とを含む。
【００１７】
ロータケース１１は、ディスク状に形成されたベースプレート１８、ベースプレート１８の外周からベースプレート１８の上方に延在するように形成されたヨーク部１５、シャフトブッシング３０を受容するためのベースプレート１８の中央部に形成された挿入孔３９、ロータ１００内部の熱を排出するために挿入孔３９の周囲にベースプレート１８に形成された複数の放熱孔２８及び後述する突出リブ２６を貫通させるための挿入孔３９の周囲にベースプレート１８に形成された複数のリブ孔２７を備える。
【００１８】
ヨーク部１５の内面には、回転時に分離しないようにボンディングなどの方法により永久磁石２０が取り付けられる。また、ヨーク部１５の下端部には、永久磁石２０の取り付け位置を容易に設定するために、ロータケース１１の内側に突出するようにその周囲に沿って形成される傾斜部２４が設けられる。ヨーク部１５の上端部には、ロータケース１１の強度を増すために、その周囲に沿って外側に曲げられている屈曲部２２が設けられる。
【００１９】
また、傾斜部２４から屈曲部２２までの高さは、永久磁石２０の高さよりも低く形成され、ヨーク部１５の内面に取り付けられる永久磁石２０の上部は、所定の高さ迄ロータケース１１のヨーク部１５より上方に突出する。これにより、永久磁石２０のヨーク部１５に対する取り付け作業が、従来技術に比べ容易に実施できる。
【００２０】
ロータケース１１の挿入孔３９に固定的に挿入されるシャフトブッシング３０は、その中央部から突出したボス部３１及びボス部３１の周りに放射状に形成された複数の補強材３８を備える。ボス部３１の貫通孔の内面には回転軸（５０、図４参照）の端部に形成されるセレーション部と結合するためのセレーションパターン３２が形成される。シャフトブッシング３０は、ベースプレート１８の挿入孔３９にインサートモールディングされてロータケース１１と結合する。従って、シャフトブッシング３０とロータケース１１との結合が容易、かつ堅固に行われ得る。
【００２１】
ベースプレート１８の強度を強化するための突出リブ２６は、ベースプレート１８に形成されたリブ孔２７を介して、ロータケース１１の底面からその内部に突出するようにロータケース１１と結合される。また、突出リブ２６はシャフトブッシング３０から放射状に延在するように配置され、シャフトブッシング３０を挿入孔３９にインサートモールディングするときに、同時に、ベースプレート１８に形成されたリブ孔２７にインサートモールディングされる。
【００２２】
図４を参照すれば、本発明の好適な第１実施例によるロータを備えるアウターロータ型モータが設けられているドラム洗濯機の断面図が示されている。
【００２３】
図４に示すドラム洗濯機は、本発明によるロータを備えるアウターロータ型モータが設置可能な洗濯機の一例であって、本発明はこれに限定されない。
【００２４】
図４に示すように、本発明によるロータを備えるアウターロータ型モータは、懸架バネ４１等によりハウジング４０の内部に備えられたタブ４４の後壁に設けられる。ハウジング４０の前方には開閉可能なドア４２が設けられ、タブ４４の内側に回転可能に設けられるドラム４５の内部に洗濯物を投入する及び取り出すことができるようにする。
【００２５】
タブ４４の内側に回転可能に設けられるドラム４５は、一般にモータの回転軸５０と一体に射出成形され、この回転軸５０を介してタブ４４の後壁に設けられるアウターロータ型モータの回転力がドラム４５に伝達される。
【００２６】
ドラム４５に固定的に連結される回転軸５０は、ベアリングハウジング５２の内側に設けられるベアリング５３によって支持され、ベアリングハウジング５２は、その一方の端部に固定されるベース部５４を備える。このベース部５４はタブ４４の後壁に固定され、更に、ベース部５４にアウターロータ型モータのステータが所定の方法により固定される。
【００２７】
本発明によるロータ１００は、回転軸５０と固定的に結合され、ベース部５４に固定されるステータの外側に回転可能に設けられる。
【００２８】
ロータ１００のシャフトブッシング３０は、回転軸５０とロータケース１１とを結合させ、ロータ１００の回転力を回転軸５０に伝達せしめる。このとき、前記のように、ロータ１００のヨーク部１５の端部に屈曲部２２が形成され、ベースプレート１８にシャフトブッシング３０と一体にインサートモールディングされる突出リブ２６が設けられることにより、ロータ１００回転時のロータケース１１の変形が防止される。従って、ロータ１００の回転力が回転軸５０に安定的に伝達される。
【００２９】
また、アウターロータ型モータの作動によって発生するロータ１００の内部の熱は通風孔２８を通じて排出される。
【００３０】
シャフトブッシング３０を介して回転軸５０に伝達されるロータ１００の回転力は、回転軸５０と一体に成形されるドラム４５を回転させ、ドラム４５の内部にある洗濯物の洗濯又は脱水が行われる。
【００３１】
図５には、本発明の好適な第２実施例によるロータの部分切り欠き斜視図が示されている。
【００３２】
図５に示すように、ロータ１１０のベースプレート１８の上面に、複数の挿入溝３６が放射状に形成される。そして、この挿入溝３６に、シャフトブッシング３０から延在する突出リブ３５が挿入される。また、この挿入溝３６の両辺の横に、バーリング加工により形成される補強リブ３８が設けられる。従って、突出リブ３５及び補強リブ３８によってベースプレート１８、更にはロータ１１０の強度が向上する。
【００３３】
また、好適な第２実施例によるロータ１１０を備えるアウターロータ型モータの洗濯機への装着は、図４に示すような方法で可能になる。
【００３４】
図６には、本発明の好適な第３実施例によるロータの部分切り欠き斜視図が示されている。図７には、図６に示したロータの分解斜視図が示されている。
【００３５】
図示のように、第３実施例によるロータ１２０が第２実施例のロータ１１０と異なる点は、第２実施例のロータ１１０の挿入溝３６の代わりに、挿入開口３６ａがベースプレート１８に形成されていることであり、好適な第２実施例と同様に、突出リブ３５及び補強リブ３８によってベースプレート１８、更にはロータ１２０の強度が向上する。
【００３６】
更に、好適な第３実施例によるロータ１２０を備えるアウターロータ型モータの洗濯機への装着は、図４に示されているような方法で可能になる。
【００３７】
図８には、本発明の好適な第４実施例によるロータの斜視図が示されている。図９には、図８に示したロータの断面図が示されている。
【００３８】
図示のように、第４実施例によるロータ１３０が第２実施例のロータ１１０と異なる点は、第２実施例のロータ１１０の挿入溝３６と補強リブ３８の代わりに、第１連結孔６３及び第２連結孔６２がベースプレート１８に形成されていることである。
【００３９】
突出リブ３５は第１連結孔６３にインサートモールディングされ、シャフトブッシング３０の周辺部は第２連結孔６２にインサートモールディングされる。
【００４０】
第１連結孔６３はベースプレート１８の周縁部側に配置され、放射状に複数のリング状に設けられる。第２連結孔６２は挿入孔３９の周囲に設けられる。
【００４１】
突出リブ３５の下部はベースプレート１８の下面に形成され、突出リブ３５の上部はベースプレート１８の上面に形成され、突出リブ３５の下部及び上部は第１連結孔６３を介して結合される。従って、好適な第２実施例と同様に、突出リブ３５によってベースプレート１８、更にはロータ１３０の強度が向上する。
【００４２】
また、シャフトブッシング３０の下部はベースプレート１８の下面に形成され、シャフトブッシング３０の上部はベースプレート１８の上面に形成され、シャフトブッシング３０の下部及び上部は第２連結孔６２を介して結合される。従って、シャフトブッシング３０とロータケース１１との結合が強化される。
【００４３】
さらに、好適な第４実施例によるロータを備えるアウターロータ型モータの洗濯機への装着は、図４に示されているような方法で可能になる。
【００４４】
以上、添付の図面を参照して本発明の好ましい実施例を説明したが、本発明は斯かる実施例に限定されるものではなく、特許請求の範囲の記載から把握される技術的範囲において種々の実施形態に変更可能である。
【産業上の利用可能性】
【００４５】
本発明によるアウターロータ型モータのロータによれば、シャフトブッシングがロータケースにインサートモールディングされるため、加工が容易で、シャフトブッシングとロータケースとの結合がより堅固に行われ、ベースプレートに設けられる突出リブ及び／又は補強リブによってロータケース、更にはロータの強度が向上する。従って、アウターロータ型モータの製作工数が減少して生産性を高めることができ、ロータから回転軸に回転力が安定的に伝達され、本発明によるロータを備えたアウターロータ型モータを用いる洗濯機の品質が向上し得るという効果を奏する。
【図面の簡単な説明】
【００４６】
【図１】従来のロータを示す分解斜視図である。
【図２】従来のロータと回転軸との結合状態を示す断面図である。
【図３】本発明の第１実施例によるロータの部分切り欠き斜視図である。
【図４】本発明のロータが設けられているドラム洗濯機の断面図である。
【図５】本発明の第２実施例によるロータの部分切り欠き斜視図である。
【図６】本発明の第３実施例によるロータの斜視図である。
【図７】図６に示したロータの分解斜視図である。
【図８】本発明の第４実施例によるロータの斜視図である。
【図９】図８に示したロータの断面図である。
【図１】
2008516581.tif 000003
【図２】
2008516581.tif 000004
【図３】
2008516581.tif 000005
【図４】
2008516581.tif 000006
【図５】
2008516581.tif 000007
【図６】
2008516581.tif 000008
【図７】
2008516581.tif 000009
【図８】
2008516581.tif 000010
【図９】
2008516581.tif 000011